(57)【要約】      （修正有）【課題】２つのモードで動作するタッチパネルを具備する表示装置を提供する。【解決手段】表示装置は、入力面を提供し、遮光領域と複数個の開口領域とに区分され、前記遮光領域上に配置された複数個の第１及び第２タッチセンサーを含む第２表示基板ＤＳ２と、前記第２表示基板ＤＳ２とは液晶層を介して対向する第１表示基板ＤＳ１とを含む。前記第１タッチセンサーは、動作モードにしたがって互に異なるスキャン信号を受信し、前記第２タッチセンサーは、第１動作モードで靜電容量変化にしたがう第１感知信号を出力し、第２動作モードで入力手段の共振周波数にしたがう第２感知信号を出力する。【選択図】図１
2014232530.tif 000002
【特許請求の範囲】
【請求項１】
入力面を提供し、遮光領域と複数個の開口領域とに区分される第１表示基板と、
前記第１表示基板と対向する第２表示基板と、
前記遮光領域上に配置され、第１動作モードで第１スキャン信号を受信し、第２動作モードで第２スキャン信号を受信する複数個の第１タッチセンサーと、
前記遮光領域上に配置されて前記複数個の第１タッチセンサーと絶縁されるように交差され、前記第１動作モードで靜電容量変化に対応する第１感知信号を出力し、前記第２動作モードで入力手段の共振周波数に対応する第２感知信号を出力する複数個の第２タッチセンサーと、を含み、
前記複数個の第１タッチセンサーの各々は、前記第２スキャン信号の中で対応する第２スキャン信号に応答する磁気場を誘導し、第１方向に配列された第１センサー部及び前記第１センサー部を連結する第１連結部を含み、
前記複数個の第２タッチセンサーの各々は、前記入力手段の前記共振周波数を受信し、前記第１方向と交差する第２方向に配列された第２センサー部及び前記第２センサー部を連結する第２連結部を含む表示装置。
【請求項２】
前記第１表示基板は、
第１ベース基板と、
前記第１ベース基板上に配置され、前記複数個の開口領域に対応する複数個の第１開口部を具備する遮光層と、
前記複数個の第１開口部に重畳するように配置された複数個のカラーフィルターと、
前記第１ベース基板上に配置された少なくとも１つの絶縁層を含むことを特徴とする請求項１に記載の表示装置。
【請求項３】
前記複数個の第１タッチセンサーは、前記第１ベース基板の一側に配置され、前記複数個の第２タッチセンサーは、前記第１ベース基板の他側に配置されたことを特徴とする請求項２に記載の表示装置。
【請求項４】
前記複数個の第１タッチセンサー及び前記複数個の第２タッチセンサーは、クロム酸化物（Ｃｈｒｏｍｉｕｍ  ｏｘｉｄｅ）、クロム窒化物（Ｃｈｒｏｍｉｕｍ  ｎｉｔｒｉｄｅ）、チタニウム酸化物（Ｔｉｔａｎｉｕｍ  ｏｘｉｄｅ）、及びチタニウム窒化物（Ｔｉｔａｎｉｕｍ  ｎｉｔｒｉｄｅ）の中でいずれか１つ又はこれらの合金等を含むことを特徴とする請求項２に記載の表示装置。
【請求項５】
前記複数個の第１タッチセンサー及び前記複数個の第２タッチセンサーは、前記第１ベース基板の一側に配置されたことを特徴とする請求項２に記載の表示装置。
【請求項６】
前記複数個の第１タッチセンサーと前記複数個の第２タッチセンサーとは、互いに異なる層上に配置されたことを特徴とする請求項５に記載の表示装置。
【請求項７】
前記第１センサー部と前記第２センサー部とは、同じ層上に配置されたことを特徴とする請求項５に記載の表示装置。
【請求項８】
前記第１連結部は、前記第１センサー部と同じ層上に配置され、
前記少なくとも１つの絶縁層は、前記第１センサー部、前記第１連結部、及び前記第２センサー部をカバーし、前記第２連結部は、前記少なくとも１つの絶縁層を貫通するコンタクトホールを通じて前記第２センサー部に連結されたことを特徴とする請求項７に記載の表示装置。
【請求項９】
前記第２連結部は、前記少なくとも１つの絶縁層を介して前記第１センサー部の一部分と交差することを特徴とする請求項８に記載の表示装置。
【請求項１０】
前記第１連結部は、前記第１センサー部と同じ層上に配置され、
前記遮光層は、前記第１センサー部、前記第１連結部、及び前記第２センサー部をカバーし、前記第２連結部は、前記遮光層を貫通するコンタクトホールを通じて前記第２センサー部に連結されたことを特徴とする請求項７に記載の表示装置。
【発明の詳細な説明】
【技術分野】
【０００１】
本発明は表示装置に関し、詳細には外部入力を感知できる表示装置に関する。
【背景技術】
【０００２】
タッチパネルは情報を受信する入力手段である。タッチパネルは入力地点の座標を算出する。表示装置は前記タッチパネルから入力された情報を表示する。一般的にタッチパネルは表示パネルとは別に製造されて表示パネルの外部に結合される。前記タッチパネルは、例えば抵抗膜方式、靜電容量方式、電磁気誘導方式等に区分される。前記表示装置は必要に応じて２種類以上のタッチパネルを具備する。
【先行技術文献】
【特許文献】
【０００３】
【特許文献１】米国特許第８，２１７，９１８号公報
【特許文献２】米国特許公開第２０１１／００６９０２２号公報
【発明の概要】
【発明が解決しようとする課題】
【０００４】
したがって、本発明は２つのモードで動作するタッチパネルを具備する表示装置を提供することを目的とする。
【課題を解決するための手段】
【０００５】
本発明の一実施形態による表示装置は、第１表示基板、第２表示基板、第１タッチセンサー、及び第２タッチセンサーを含む。前記第１表示基板は、入力面を提供し、遮光領域と複数個の開口領域とに区分される。前記第２表示基板は、前記第１表示基板と対向する。
【０００６】
前記第１タッチセンターの各々は、第１方向に羅列された第１センサー部及び前記第１センサー部を連結する第１連結部を含み、前記遮光領域上に配置される。前記第２タッチセンサーの各々は、前記第１方向と交差する第２方向に羅列された第２センサー部及び前記第２センサー部を連結する第２連結部を含み、前記遮光領域上に配置されて前記複数個の第１タッチセンサーと絶縁されるように交差される。
【０００７】
前記第１タッチセンサーは、前記第１動作モードで第１スキャン信号を受信し、第２動作モードで第２スキャン信号を受信し、前記第１センサー部は、前記第２スキャン信号の中で対応する第２スキャン信号にしたがう磁気場を誘導する。前記第２タッチセンサーは、前記第１動作モードで靜電容量変化に対応した第１感知信号を出力し、前記第２動作モードで前記第２センサー部が受信した入力手段の共振周波数に対応した第２感知信号を出力する。
【発明の効果】
【０００８】
本発明によれば、２つのモードで動作するタッチパネルを具備する表示装置を提供することができる。上述した構成によれば、前記第１及び第２タッチセンサーは前記表示装置の動作モードにしたがって靜電容量方式又は電磁気誘導方式で動作する。前記第１及び第２タッチセンサーが２つのモードで駆動されることによって、互いに異なる方式で外部入力を感知することができる。
【０００９】
前記第１及び第２タッチセンサーが同じ層上に配置されることによって前記表示装置はスリムな構造を有する。前記遮光層に重畳されることによって前記第１タッチセンサーと前記第２タッチセンサーとは外部から視認されない。
【００１０】
前記表示装置にフローティング電極がさらに具備されることによって前記靜電容量方式で動作する前記第１及び第２タッチセンサーのタッチ感度が向上される。
【図面の簡単な説明】
【００１１】
【図１】本発明の一実施形態による表示装置のブロック図である。
【図２】表示装置に含まれたタッチパネルのブロック図である。
【図３】図１に図示された表示パネルの斜視図である。
【図４】図３のＩ−Ｉ’線に沿う断面図である。
【図５】図２に図示された第１タッチセンサーと第２タッチセンサーとを具体的に示した平面図である。
【図６Ａ】図５のＡＡ領域を拡大して示した平面図である。
【図６Ｂ】図５のＡＡ領域を拡大して示した平面図である。
【図７】図５のＢＢ領域を拡大して示した平面図である。
【図８】図５のＣＣ領域を拡大して示した平面図である。
【図９】図８のＩＩ−ＩＩ’線に沿う断面図である。
【図１０】第１動作モードで動作するタッチパネルを示す。
【図１１】第２動作モードで動作するタッチパネルを示す。
【図１２】第２動作モードで発生した信号のタイミング図である。
【図１３】図２に図示されたタッチセンサー駆動部のブロック図である。
【図１４】図１３に図示されたスイッチングの回路図である。
【図１５】図２に図示された入力感知部のブロック図である。
【図１６】図２に図示された第１スイッチ部のブロック図である。
【図１７】図２に図示された第２スイッチ部のブロック図である。
【図１８Ａ】本発明の一実施形態による表示パネルの断面図である。
【図１８Ｂ】本発明の一実施形態による表示パネルの断面図である。
【図１８Ｃ】本発明の一実施形態による表示パネルの断面図である。
【図１８Ｄ】本発明の一実施形態による表示パネルの断面図である。
【図１８Ｅ】本発明の一実施形態による表示パネルの断面図である。
【図１８Ｆ】本発明の一実施形態による表示パネルの断面図である。
【図１９Ａ】本発明の一実施形態による第１タッチセンサーと第２タッチセンサーとを具体的に示した平面図である。
【図１９Ｂ】本発明の一実施形態による第１タッチセンサーと第２タッチセンサーとを具体的に示した平面図である。
【図１９Ｃ】本発明の一実施形態による第１タッチセンサーと第２タッチセンサーとを具体的に示した平面図である。
【図２０】本発明の一実施形態による第１タッチセンサーと第２タッチセンサーとを具体的に示した平面図である。
【図２１】図２０のＤＤ領域を拡大して示した平面図である。
【図２２】図２１のＩＩＩ−ＩＩＩ’線に沿う断面図である。
【図２３】図２１のＩＩＩ−ＩＩＩ’線に沿う断面図である。
【図２４】本発明の一実施形態による第１タッチセンサーと第２タッチセンサーを具体的に示した平面図である。
【図２５】本発明の一実施形態による第１タッチセンサーと第２タッチセンサーがメッシュ形状を有する平面図である。
【図２６】本発明の一実施形態による第１タッチセンサーと第２タッチセンサーがメッシュ形状を有する平面図である。
【発明を実施するための形態】
【００１２】
以下、添付した図面を参照して本発明の望ましい実施形態をより詳細に説明する。
【００１３】
図１は本発明の一実施形態による表示装置のブロック図であり、図２は表示装置に含まれたタッチパネルのブロック図である。図３は図１に図示された表示パネルの斜視図であり、図４は図３のＩ−Ｉ’線に沿う断面図である。
【００１４】
図１に示したように、前記表示装置は表示パネルＬＤＰ、信号制御部１００、ゲート駆動部２００、データ駆動部３００、タッチセンサー駆動部４００、入力感知部５００、第１スイッチ部６００、及び第２スイッチ部７００を含む。前記信号制御部１００、前記ゲート駆動部２００、及び前記データ駆動部３００は映像が生成されるように前記表示パネルＬＤＰを制御する。前記タッチセンサー駆動部４００、前記第１スイッチ部６００、及び前記第２スイッチ部７００はタッチセンサーを制御し、前記入力感知部５００は入力地点の座標情報を算出する。
【００１５】
前記表示パネルＬＤＰは特別に限定されるものではなく、例えば液晶表示パネル（ｌｉｑｕｉｄ  ｃｒｙｓｔ  ＡＬ  ｄｉｓｐｌａｙ  ｐａｎｅｌ）、有機発光表示パネル（ｏｒｇａｎｉｃ  ｌｉｇｈｔ  ｅｍｉｔｔｉｎｇ  ｄｉｓｐｌａｙ  ｐａｎｅｌ）、電氣泳動表示パネル（ｅｌｅｃｔｒｏｐｈｏｒｅｔｉｃ  ｄｉｓｐｌａｙ  ｐａｎｅｌ）、エレクトロ・ウェッティング表示パネル（ｅｌｅｃｔｒｏｗｅｔｔｉｎｇ  ｄｉｓｐｌａｙ  ｐａｎｅｌ）等が採用できる。但し、本実施形態では前記液晶表示パネルを例示的に説明する。一方、液晶表示装置は前記液晶表示パネルに光を提供するバックライトユニット（図示せず）、一対の偏光板（図示せず）をさらに含む。
【００１６】
前記表示パネルＬＤＰは離隔されて配置された第１表示基板ＤＳ１と第２表示基板ＤＳ２とを含む。前記第１表示基板ＤＳ１と前記第２表示基板ＤＳ２との間には液晶層ＬＣＬ（図３参照）が配置される。
【００１７】
前記表示パネルＬＤＰは複数個の画素ＰＸ１１〜ＰＸｎｍを含む。前記複数個の画素ＰＸ１１〜ＰＸｎｍはマトリックス形態に配列され得る。前記複数個の画素ＰＸ１１〜ＰＸｎｍは複数個の画素領域ＰＸＡ１１〜ＰＸＡｎｍに対応するように配置される。前記複数個の画素ＰＸ１１〜ＰＸｎｍの各々は複数個のデータラインＤＬ１〜ＤＬｍ及び複数個のゲートラインＧＬ１〜ＧＬｎの中で対応するゲートライン及び対応するデータラインに連結される。
【００１８】
前記複数個のゲートラインＧＬ１〜ＧＬｎ及び前記複数個のデータラインＤＬ１〜ＤＬｍは前記第１表示基板ＤＳ１に配置される。前記複数個のゲートラインＧＬ１〜ＧＬｎは第１方向ＤＲ１に延長され、第２方向ＤＲ２に配列される。前記複数個のデータラインＤＬ１〜ＤＬｍは前記複数個のゲートラインＧＬ１〜ＧＬｎと絶縁されるように交差する。前記複数個のゲートラインＧＬ１〜ＧＬｎは前記ゲート駆動部２００に連結され、前記複数個のデータラインＤＬ１〜ＤＬｍは前記データ駆動部３００に連結される。
【００１９】
図２に示したように、複数個の第１タッチセンサーＴＬ１〜ＴＬｉ及び複数個の第２タッチセンサーＲＬ１〜ＲＬｊが前記第２表示基板ＤＳ２に配置される。前記複数個の第１タッチセンサーＴＬ１〜ＴＬｉ及び前記複数個の第２タッチセンサーＲＬ１〜ＲＬｊは互いに絶縁されるように交差する。図２で前記複数個の第１タッチセンサーＴＬ１〜ＴＬｉ及び前記複数個の第２タッチセンサーＲＬ１〜ＲＬｊは概略的に図示された。
【００２０】
前記複数個の第１タッチセンサーＴＬ１〜ＴＬｉは前記第１方向ＤＲ１に延長され、前記第２方向ＤＲ２に配列される。前記複数個の第２タッチセンサーＲＬ１〜ＲＬｊは前記第２方向ＤＲ２に延長され、前記第１方向ＤＲ１に配列される。前記複数個の第１タッチセンサーＴＬ１〜ＴＬｉの一端は前記タッチセンサー駆動部４００に連結され、他端は前記第１スイッチ部６００に連結される。前記複数個の第２タッチセンサーＲＬ１〜ＲＬｊの一端は前記入力感知部５００に連結され、他端は前記第２スイッチ部７００に連結される。機能的に、前記タッチセンサー駆動部４００、前記入力感知部５００、前記第１スイッチ部６００、及び前記第２スイッチ部７００はタッチパネルＴＰを構成する。言い換えれば、前記タッチパネルＴＰをなす構成は変更され得、その構成は前記タッチパネルの機能を達成するために適切に配置され得る。
【００２１】
図３乃至図４を参照して前記表示パネルＬＤＰについて詳細に検討する。図３及び図４に示したように、前記第１表示基板ＤＳ１と前記第２表示基板ＤＳ２とは前記液晶層ＬＣＬを介して対向する。上側に配置された前記第２表示基板ＤＳ２は使用者の指又はスタイラスペンのような入力手段に入力面を提供する。
【００２２】
図３に示したように、前記第２表示基板ＤＳ２は遮光領域ＮＤＡと複数個の開口領域ＤＡとを含む。前記遮光領域ＮＤＡは前記複数個の開口領域ＤＡを囲む。前記複数個の開口領域ＤＡは前記バックライトユニットから生成された光が通過される領域であり、前記遮光領域ＮＤＡは前記光が遮断される領域である。前記複数個の開口領域ＤＡはマトリックス形態に配列され得る。前記複数個の開口領域ＤＡを通過する光の組み合わせによって映像が生成される。
【００２３】
図４に示したように、前記第１表示基板ＤＳ１は第１ベース基板ＳＵＢ１、複数個の絶縁層１０、２０、及び複数個の導電層ＣＥ、ＰＥを含む。前記第１ベース基板ＳＵＢ１上に共通電極ＣＥが配置される。前記第１ベース基板ＳＵＢ１上に前記共通電極ＣＥをカバーする第１絶縁層１０が配置される。前記第１絶縁層１０上に前記共通電極に対応するように画素電極ＰＥが配置される。前記第１絶縁層１０上に前記画素電極ＰＥをカバーする第２絶縁層２０が配置される。前記第１絶縁層１０と前記第２絶縁層２０との各々は少なくとも１つの有機膜及び／又は少なくとも１つの無機膜で構成されることができる。
【００２４】
一方、図４で前記複数個のゲートラインＧＬ１〜ＧＬｎ（図１参照）、及び前記複数個のデータラインＤＬ１〜ＤＬｍ（図１参照）は図示されなかった。また、前記第１ベース基板ＳＵＢ１と前記共通電極ＣＥとの間には絶縁層がさらに配置され得る。
【００２５】
本実施形態で、前記複数個の画素領域ＰＸＡは前記第１表示基板ＤＳ１に定義される。前記複数個の画素領域ＰＸＡは前記複数個の開口領域ＤＡに各々重畳する領域を定義する。図４には３つの画素領域ＰＸＡ及び３つの開口領域ＤＡが例示的に図示された。
【００２６】
前記３つの画素ＰＸの各々は共通電極ＣＥ、画素電極ＰＥ及び薄膜トランジスター（図示せず）を含む。前記薄膜トランジスターは対応するデータライン、対応するゲートライン、及び対応する画素電極ＰＥに連結される。前記薄膜トランジスターは、対応するゲート電圧に応答して、前記対応する画素電極ＰＥに対応するデータ電圧を提供する。
【００２７】
前記共通電極ＣＥは共通電圧を受信する。前記共通電極ＣＥと前記画素電極ＰＥは、共通電極ＣＥと画素電極ＰＥとが第１絶縁層１０を介して隣接して配置されているため、横電界を形成することができる。前記横電界によって前記液晶層ＬＣＬに含まれた方向子の配列が変化される。
【００２８】
一方、他の実施形態で前記共通電極ＣＥと前記画素電極ＰＥとは同じ層上に配置され得る。その他の実施形態で前記共通電極ＣＥは前記第２表示基板ＤＳ２上に配置され得、この時、前記共通電極ＣＥと前記画素電極ＰＥとは垂直電界を形成する。
【００２９】
図４に示したように、前記第２表示基板ＤＳ２は第２ベース基板ＳＵＢ２、遮光層ＢＭ、複数個のカラーフィルターＣＦを含む。図４には３つの第１タッチセンサーＴＬと１つの第２タッチセンサーＲＬとが例示的に図示された。
【００３０】
前記遮光層ＢＭは前記第２ベース基板ＳＵＢ２の下面に配置される。前記遮光層ＢＭは複数個の開口部ＢＭ−ＯＰを有する。実質的に前記複数個の開口領域ＤＡは前記複数個の開口部ＢＭ−ＯＰによって定義される。前記遮光層ＢＭは平面上でマトリックス形態に配列された前記複数個の開口部ＢＭ−ＯＰを包含することができる。前記遮光領域ＮＤＡは前記遮光層ＢＭによって定義される。
【００３１】
前記複数個のカラーフィルターＣＦは前記複数個の開口部ＢＭ−ＯＰに各々重畳するように配置される。例えば、図４に示したように、前記複数個のカラーフィルターＣＦは前記複数個の開口部ＢＭ−ＯＰに挿入され得る。前記複数個のカラーフィルターＣＦは互いに異なるカラーを有するカラーフィルターを包含することができる。例えば、前記複数個のカラーフィルターＣＦの中で一部はレッド、他の一部はグリーン、その他の一部はブルーカラーを有することができる。
【００３２】
前記第１タッチセンサーＴＬ及び前記第２タッチセンサーＲＬは前記第２ベース基板ＳＵＢ２の上面に配置される。前記第１タッチセンサーＴＬ及び前記第２タッチセンサーＲＬは少なくとも一部が同じ層上に配置される。前記第１タッチセンサーＴＬと前記第２タッチセンサーＲＬとは前記遮光領域ＮＤＡに重畳するように配置される。前記第１タッチセンサーＴＬ及び前記第２タッチセンサーＲＬの配置関係は図５乃至図９を参照して後述する。
【００３３】
前記第２ベース基板ＳＵＢ２の上面に配置された前記第１タッチセンサーＴＬ及び前記第２タッチセンサーＲＬは反射率が低い導電性物質で構成されることができる。例えば、前記第１タッチセンサーＴＬ及び前記第２タッチセンサーＲＬはクロム酸化物（Ｃｈｒｏｍｉｕｍ  ｏｘｉｄｅ）、クロム窒化物（Ｃｈｒｏｍｉｕｍ  ｎｉｔｒｉｄｅ）、チタニウム酸化物（Ｔｉｔａｎｉｕｍ  ｏｘｉｄｅ）、及びチタニウム窒化物（Ｔｉｔａｎｉｕｍ  ｎｉｔｒｉｄｅ）の中でいずれか１つ又はこれらの合金等を包含することができる。
【００３４】
前記第２ベース基板ＳＵＢ２上に前記第１タッチセンサーＴＬ及び前記第２タッチセンサーＲＬをカバーする絶縁層ＡＬが配置される。前記絶縁層ＡＬは少なくとも１つの有機膜及び／又は少なくとも１つの無機膜で構成されることができる。前記絶縁層ＡＬ上に保護層ＰＳが配置される。前記保護層ＰＳは強化ガラスであり得る。また、前記保護層ＰＳは偏光板であり得る。
【００３５】
一方、本発明の他の実施形態で、前記第１表示基板ＤＳ１と前記第２表示基板ＤＳ２と逆に配置されることがあり得る。さらに具体的に、前記第１表示基板ＤＳ１と第２表示基板ＤＳ２とは前記液晶層ＬＣＬを基準に図面上で１８０°回転され得る。この時、前記第１タッチセンサーＴＬ及び前記第２タッチセンサーＲＬは前記第２ベース基板ＳＵＢ２上に配置される。
【００３６】
図４に図示された表示装置は、前記第１表示基板ＤＳ１と前記第２表示基板ＤＳ２とを各々製造した後、前記第１表示基板ＤＳ１と前記第２表示基板ＤＳ２とを合着する方式によって製造される。合着された前記第１表示基板ＤＳ１と前記第２表示基板ＤＳ２との間に前記液晶層ＬＣＬをなす液晶を注入する。前記液晶が注入された以後に前記第１表示基板ＤＳ１上に前記第１タッチセンサーＴＬ及び前記第２タッチセンサーＲＬを形成する。以後、前記第１表示基板ＤＳ１上に前記絶縁層ＡＬ及び前記保護層ＰＳを配置させる。前記第１タッチセンサーＴＬ及び前記第２タッチセンサーＲＬを形成する具体的な方法は後述する。一方、本発明の他の実施形態で、前記第１タッチセンサーＴＬ、前記第２タッチセンサーＲＬ、前記絶縁層ＡＬ及び前記保護層ＰＳが具備された第１表示基板ＤＳ１を形成した後、前記第１表示基板ＤＳ１と前記第２表示基板ＤＳ２とを合着することもあり得る。
【００３７】
再び図１及び図２を参照すれば、前記信号制御部１００は入力映像信号ＲＧＢを受信し、前記入力映像信号ＲＧＢを前記表示パネルＬＤＰの動作モードに応じた映像データＲ’Ｇ’Ｂ’に変換する。また、前記信号制御部１００は各種制御信号ＣＳ、例えば垂直同期信号、水平同期信号、メーンクロック信号、データイネーブル信号等を受信し、第１及び第２制御信号ＣＯＮＴ１、ＣＯＮＴ２及びモード選択信号ＭＳＳを出力する。
【００３８】
前記モード選択信号ＭＳＳは前記タッチパネルＴＰの動作モードを決定する。前記タッチパネルＴＰは前記モード選択信号ＭＳＳに応答して靜電容量方式又は電磁気誘導方式で動作する。前記モード選択信号ＭＳＳは、前記タッチパネルＴＰの動作モードに応じた動作モード活性化信号として生成される。例えば、前記モード選択信号ＭＳＳは第１動作モード区間でハイレベルの活性化信号に、第２動作モード区間でローレベルの活性化信号に生成されるか、或いはその反対の信号として生成され得る。
【００３９】
前記モード選択信号ＭＳＳは、前記表示パネルＬＤＰで表示する映像に基づいて生成され得る。例えば、前記表示パネルＬＤＰでキーパッド映像を表示する時、前記モード選択信号ＭＳＳは第１動作モード活性化信号として出力され、前記表示パネルＬＤＰでゲーム映像を表示する時、前記モード選択信号ＭＳＳは第２動作モード活性化信号として出力され得る。前記タッチパネルＴＰ（図２参照）は前記表示パネルＬＤＰでキーパッド映像を表示する時、靜電容量方式で動作し、前記表示パネルＬＤＰでゲーム映像を表示する時、電磁気誘導方式で動作することができる。
【００４０】
前記ゲート駆動部２００は前記第１制御信号ＣＯＮＴ１に応答して複数個のゲートラインＧＬ１〜ＧＬｎへゲート信号を出力する。前記第１制御信号ＣＯＮＴ１は前記ゲート駆動部２００の動作を開始する垂直開始信号、ゲート電圧の出力時期を決定するゲートクロック信号及び前記ゲート電圧のオンパルス幅を決定する出力イネーブル信号等を含む。
【００４１】
前記データ駆動部３００は前記第２制御信号ＣＯＮＴ２及び前記映像データＲ’Ｇ’Ｂ’を受信する。前記データ駆動部３００は前記映像データＲ’Ｇ’Ｂ’をデータ電圧に変換して前記複数個のデータラインＤＬ１〜ＤＬｍに提供する。
【００４２】
前記第２制御信号ＣＯＮＴ２は、前記データ駆動部３００の動作を開始する水平開始信号、前記データ電圧の極性を反転させる反転信号、及び前記データ駆動部３００から前記データ電圧が出力される時期を決定する出力指示信号等を含む。
【００４３】
前記タッチセンサー駆動部４００は前記モード選択信号ＭＳＳを受信する。前記タッチセンサー駆動部４００は前記モード選択信号ＭＳＳに応答してスキャン信号を前記複数個の第１タッチセンサーＴＬ１〜ＴＬｉに提供する。前記タッチセンサー駆動部４００は第１動作モードで第１スキャン信号ＴＳ１を前記複数個の第１タッチセンサーＴＬ１〜ＴＬｉに提供し、第２動作モードで第２スキャン信号ＴＳ２を前記複数個の第１タッチセンサーＴＬ１〜ＴＬｉに提供する。
【００４４】
前記入力感知部５００は前記第１動作モードにおいて、前記複数個の第２タッチセンサーＲＬ１〜ＲＬｊから靜電容量変化に応じた第１感知信号ＳＳ１を受信する。前記入力感知部５００は前記第２動作モードにおいて、前記複数個の第２タッチセンサーＲＬ１〜ＲＬｊから入力手段の共振周波数に応じた第２感知信号ＳＳ２を受信する。ここで、前記入力手段はインダクタとキャパシターを含むＬＣ共振回路を具備するスタイラスペンであり得る。
【００４５】
前記入力感知部５００は、前記第１感知信号ＳＳ１及び前記第２感知信号ＳＳ２に応じた入力地点の座標情報を算出する。ここで、前記第１動作モードの入力地点はタッチされた前記第２表示基板ＤＳ２の一地点であり得る。前記第２動作モードの入力地点は前記入力手段でタッチされた前記第２表示基板ＤＳ２の一地点であるか、或いは前記入力手段が近接した前記第２表示基板ＤＳ２上の一地点であり得る。
【００４６】
前記入力感知部５００は、前記第１感知信号ＳＳ１と前記第２感知信号ＳＳ２とを各々処理する第１信号処理部（図示せず）及び第２信号処理部（図示せず）を具備することができる。前記入力感知部５００は前記モード選択信号ＭＳＳに応答して前記第１信号処理部及び第２信号処理部を選択的に活性化させる。
【００４７】
前記第１スイッチ部６００及び前記第２スイッチ部７００は各々前記モード選択信号ＭＳＳを受信する。前記第１スイッチ部６００及び前記第２スイッチ部７００は前記モード選択信号ＭＳＳに応答して前記複数個の第１タッチセンサーＴＬ１〜ＴＬｉ及び前記複数個の第２タッチセンサーＲＬ１〜ＲＬｊをフローティングさせるか、或いはグラウンディング（接地）させる。
【００４８】
図５は図２に図示された第１タッチセンサーと第２タッチセンサーを具体的に示した平面図である。図６は図５のＡＡ領域を拡大して示した平面図である。図７は図５のＢＢ領域を拡大して示した平面図である。図８は図５のＣＣ領域を拡大して示した平面図である。図９は図８のＩＩ−ＩＩ’線に沿う断面図である。図５は５つの第１タッチセンサーＴＬ１〜ＴＬ５と５つの第２タッチセンサーＲＬ１〜ＲＬ５とが例示的に図示された。
【００４９】
図５に示したように、前記第１タッチセンサーＴＬ１〜ＴＬ５の各々は、第１方向ＤＲ１に配列された第１センサー部ＴＬＳ１〜ＴＬＳ５及び前記第１センサー部ＴＬＳ１〜ＴＬＳ５において互いに隣接する第１センサー部ＴＬＳを連結する第１連結部ＴＬＣ１〜ＴＬＣ４を含む。つまり、第１タッチセンサーＴＬ１は、第１センサー部ＴＬＳ１〜ＴＬＳ５及び第１連結部ＴＬＣ１〜ＴＬＣ４を含み、第１タッチセンサーＴＬ２〜ＴＬ５も同様の構成を含む。図５は５つの第１センサー部ＴＬＳ１〜ＴＬＳ５と４つの第１連結部ＴＬＣ１〜ＴＬＣ４を各々含む前記第１タッチセンサーＴＬ１〜ＴＬ５が例示的に図示された。
【００５０】
前記第１センサー部ＴＬＳ１〜ＴＬＳ５の各々は第１部分ＴＬＰ１、前記第１部分ＴＬＰ１に対向する第２部分ＴＬＰ２、及び前記第１部分ＴＬＰ１と前記第２部分ＴＬＰ２とを連結する第３部分ＴＬＰ３を含む。前記第１部分ＴＬＰ１、前記第２部分ＴＬＰ２、及び前記第３部分ＴＬＰ３は一部分が開かれたループを形成する。前記ループの形状は制限されない。例えば、前記第１部分ＴＬＰ１、前記第２部分ＴＬＰ２、及び前記第３部分ＴＬＰ３は、図５に示すように図５中の第２方向ＤＲ２側に開口を有するコの字状に形成される。
【００５１】
前記第１連結部ＴＬＣ１〜ＴＬＣ４の各々は、隣接する２つの第１センサー部ＴＬＳを連結する。１つの連結部ＴＬＣは、隣接する２つの第１センサー部ＴＬＳの中でいずれか１つの第２部分ＴＬＰ２と他の１つの第１部分ＴＬＰ１とを連結する。例えば、第１センサー部ＴＬＳ１と第２センサー部ＴＬＳ２との間の第１連結部ＴＬＣ１は、第１センサー部ＴＬＳ１の第２部分ＴＬＰ２と、第２センサー部ＴＬＳ２の他の１つの第１部分ＴＬＰ１とを連結する。前記１つの連結部ＴＬＣは、前記いずれか１つの第２部分ＴＬＰ２の末端と前記他の１つの第１部分ＴＬＰ１の末端とを連結することが望ましい。
【００５２】
前記第２タッチセンサーＲＬ１〜ＲＬ５の各々は、第２方向ＤＲ２に配列された第２センサー部ＲＬＳ１〜ＲＬＳ５、及び前記第２センサー部ＲＬＳ１〜ＲＬＳ５を連結する第２連結部ＲＬＣ１〜ＲＬＣ４を含む。つまり、第２タッチセンサーＲＬ１は、第２センサー部ＲＬＳ１〜ＲＬＳ５及び第２連結部ＲＬＣ１〜ＲＬＣ４を含み、第２タッチセンサーＲＬ２〜ＲＬ５も同様の構成を含む。図５は５つの第２センサー部ＲＬＳ１〜ＲＬＳ５と４つの第２連結部ＲＬＣ１〜ＲＬＣ４とを各々含む前記第２タッチセンサーＲＬ１〜ＲＬ５が例示的に図示された。
【００５３】
前記第２センサー部ＲＬＳ１〜ＲＬＳ５の各々は一部分が開かれたループ形状に、第１部分ＲＬＰ１、第２部分ＲＬＰ２、及び第３部分ＲＬＰ３を含む。例えば、第１部分ＲＬＰ１、第２部分ＲＬＰ２、及び第３部分ＲＬＰ３は、図５に示すように図５中の第１方向ＤＲ１側に開口を有するコの字状に形成される。
【００５４】
前記第２連結部ＲＬＣ１〜ＲＬＣ４の各々は隣接する２つの第２センサー部ＲＬＳを連結する。１つの連結部ＲＬＣは、隣接する２つの第２センサー部ＲＬＳの中でいずれか１つの第２部分ＲＬＰ２と他の１つの第１部分ＲＬＰ１とを連結する。例えば、第２センサー部ＲＬＳ１と第２センサー部ＲＬＳ２との間の第１連結部ＲＬＣ１は、２センサー部ＲＬＳ１の第２部分ＲＬＰ２と、２センサー部ＲＬＳ２の他の１つの第１部分ＲＬＰ１とを連結する。
【００５５】
図５に示したように、前記第２タッチセンサーＲＬ１〜ＲＬ５は右回りに９０°回転された第１タッチセンサーＴＬ１〜ＴＬ５と同一である形状を有することができる。
【００５６】
図６Ａは、図５のＡＡ領域を拡大して示した平面図であり、前記第１タッチセンサーＴＬ１の前記第１センサー部ＴＬＳ３の前記第２部分ＴＬＰ２と前記第３部分ＴＬＰ３とを拡大して図示した。図示されていない前記第１タッチセンサーＴＬ１〜ＴＬ５の他の部分及び前記第２タッチセンサーＲＬ１〜ＲＬ５は図６と同一の構造を有することができる。
【００５７】
前記第１センサー部ＴＬＳ３の前記第２部分ＴＬＰ２は、第２方向ＤＲ２に延長された複数個の第１配線Ｃ−１、Ｃ−２を含む。前記第１センサー部ＴＬＳ３の前記第３部分ＴＬＰ３は第１方向ＤＲ１に延長された複数個の第２配線Ｌ−１、Ｌ−２を含む。図６Ａは２つの第１配線Ｃ−１、Ｃ−２及び２つの第２配線Ｌ−１、Ｌ−２を例示的に図示した。前記第１配線Ｃ−１、Ｃ−２及び前記第２配線Ｌ−１、Ｌ−２の各々の個数が多くほど、前記第１タッチセンサーＴＬ１の抵抗は低くなる。
【００５８】
図示していないが、前記第２部分ＴＬＰ２は、２つの第１配線Ｃ−１、Ｃ−２を前記第１方向ＤＲ１に連結する複数個の第２配線をさらに包含することができる。前記第３部分ＴＬＰ３は２つの第２配線Ｌ−１、Ｌ−２を前記第２方向ＤＲ２に連結する複数個の第１配線をさらに包含することができる。
【００５９】
図６Ｂは、図５のＡＡ領域を拡大して示した平面図であり、図６Ｂに示すように、第２部分ＴＬＰ２０は、さらに、第１方向ＤＲ１方向において第１配線Ｃ−１とＣ−２とを接続する複数の第２配線Ｌ１０を含んでもよい。第３部分ＴＬＰ３０は、さらに、第２方向ＤＲ２方向において第２配線Ｌ−１とＬ−２とを接続する複数の第１配線Ｃ１０を含んでもよい。
【００６０】
図７は図５のＢＢ領域を拡大して示した平面図であり、図７に示したように、タッチセンサーが配置されない領域には別の電極パターンが配置されない。
【００６１】
図８は、図５のＣＣ領域を拡大して示した平面図であり、前記第１タッチセンサーＴＬ１の前記第１センサー部ＴＬＳ１の前記第３部分ＴＬＰ３と前記第２タッチセンサーＲＬ１の第２連結部ＲＬＣ１とが交差する領域を図示した。前記第３部分ＴＬＰ３は第１方向ＤＲ１に延長された前記第２配線Ｌ−１、Ｌ−２を含む。
【００６２】
前記第２連結部ＲＬＣ１は第１配線Ｃ−１０、Ｃ−２０を含む。前記第１配線Ｃ−１０、Ｃ−２０は、前記第３部分ＴＬＰ３と交差する領域に配置されたブリッジ電極ＣＮＥ１、ＣＮＥ２を含む。
【００６３】
図９は図８のＩＩ−ＩＩ’線に沿う断面図であり、図９に示したように、前記第２ベース基板ＳＵＢ２の上面に前記第３部分ＴＬＰ３と前記第２連結部ＲＬＣ１（図９のブリッジ電極ＣＮＥ１は第１配線Ｃ−１０に含まれ、第１配線Ｃ−１０第２連結部ＲＬＣ１に含まれる）とが配置される。前記第２ベース基板ＳＵＢ２の上面に前記第３部分ＴＬＰ３と前記第２連結部ＲＬＣ１とをカバーする第３絶縁層ＡＬ１０が配置される。前記第３絶縁層ＡＬ１０は第１コンタクトホールＣＨ１と第２コンタクトホールＣＨ２とを含む。前記ブリッジ電極ＣＮＥ１は前記第１コンタクトホールＣＨ１と前記第２コンタクトホールＣＨ２とを通じて、前記第１配線Ｃ−１の一側部分と他側部分とを連結させる。これにより、図９に示すように互いに離隔した第１配線Ｃ−１がブリッジ電極ＣＮＥ１により電気的に接続される。前記第３絶縁層ＡＬ１０上に前記ブリッジ電極ＣＮＥ１をカバーする第４絶縁層ＡＬ２０が配置される。
【００６４】
以下、前記ブリッジ電極ＣＮＥ１、ＣＮＥ２を含むタッチセンサーの製造方法を検討する。前記第２ベース基板ＳＵＢ２上に前記第１タッチセンサーＴＬ１と前記第２タッチセンサーＲＬ１との一部分を形成する。前記第２配線Ｌ−１、Ｌ−２を含む前記第１タッチセンサーＴＬ１と、互いに離隔した第１配線Ｃ−１０、互いに離隔したＣ−２０を含む第２タッチセンサーＴＬ２とを形成することができる。次の、前記第２ベース基板ＳＵＢ２上に前記第３絶縁層ＡＬ１０を積層する。次の、前記第３絶縁層ＡＬ１０に前記第１コンタクトホールＣＨ１と前記第２コンタクトホールＣＨ２とを形成する。以後、前記ブリッジ電極ＣＮＥ１を形成して前記第１コンタクトホールＣＨ１と前記第２コンタクトホールＣＨ２とを通じて互いに離隔したされた第１配線Ｃ−１０、互いに離隔したＣ−２０を連結する。以後、前記第４絶縁層ＡＬ２０及び前記保護層ＰＳを積層する。
【００６５】
本発明の他の実施形態で、前記ブリッジ電極ＣＮＥ１、ＣＮＥ２は、前記第２連結部ＲＬＣ１を連結するために使用される代わりに、前記第３部分ＴＬＰ３の前記第２配線Ｌ−１、Ｌ−２を連結するために前記第３部分ＴＬＰ３に具備され得る。この時、第３部分ＴＬＰ３の第２配線Ｌ−１、Ｌ−２は互いに離隔しており、ブリッジ電極ＣＮＥ１、ＣＮＥ２を通じて電気的に接続され、一方、前記第２連結部ＲＬＣ１は前記ブリッジ電極ＣＮＥ１、ＣＮＥ２を使用せず、前記第２方向ＤＲ２に延長された前記第１配線Ｃ−１０、Ｃ−２０を通じて直接連結される。
【００６６】
図１０は第１動作モードで動作するタッチパネルを示す。図１１は第２動作モードで動作するタッチパネルを示す。図１２は第２動作モードで発生した信号のタイミング図である。以下、図１０乃至図１２を参照して前記タッチパネルの動作方法を説明する。
【００６７】
図１０に図示された第１動作モードのタッチパネルは、靜電容量方式のタッチパネルと同じ方式で前記入力地点の座標情報を算出する。前記第１タッチセンサーＴＬ１〜ＴＬ５は前記靜電容量方式のタッチパネルの入力タッチ電極に対応し、前記第２タッチセンサーＲＬ１〜ＲＬ５は前記靜電容量方式のタッチパネルの出力タッチ電極に対応する。
【００６８】
前記第１タッチセンサーＴＬ１〜ＴＬ５と前記第２タッチセンサーＲＬ１〜ＲＬ５とは靜電結合される。前記靜電結合（ｃａｐａｃｉｔｉｖｅ  ｃｏｕｐｌｉｎｇ）によって前記第１タッチセンサーＴＬ１〜ＴＬ５と前記第２タッチセンサーＲＬ１〜ＲＬ５との間にキャパシターが形成される。
【００６９】
前記第１タッチセンサーＴＬ１〜ＴＬ５の前記第１部分ＴＬＰ１と、前記第２タッチセンサーＲＬ１〜ＲＬ５の前記第３部分ＲＬＰ３とが近接するように対向し、キャパシターを形成する。前記第１タッチセンサーＴＬ１〜ＴＬ５の前記第３部分ＴＬＰ３と、前記第２タッチセンサーＲＬ１〜ＲＬ５の前記第１部分ＲＬＰ１及び前記第２部分ＲＬＰ２とが近接するように対向し、キャパシターを形成する。例えば、第１タッチセンサーＴＬ１と第２タッチセンサーＲＬ１との間では、第１タッチセンサーＴＬ１の第１部分ＴＬＰ１と、第２タッチセンサーＲＬ１の第３部分ＲＬＰ３とが近接するように対向し、キャパシターを形成する。また、第１タッチセンサーＴＬ１の第３部分ＴＬＰ３と、第２タッチセンサーＲＬ１の第１部分ＲＬＰ１及び第２部分ＲＬＰ２とが近接するように対向し、キャパシターを形成する。
【００７０】
前記第１タッチセンサーＴＬ１〜ＴＬ５は互いに異なる区間でスキャン信号ＴＳ１−１〜ＴＳ１−５（以下、第１スキャン信号）を受信する。前記第１スキャン信号ＴＳ１−１〜ＴＳ１−５は活性化区間が遅延された信号である。前記第２タッチセンサーＲＬ１〜ＲＬ５は感知信号ＳＳ１−１〜ＳＳ１−５（以下、第１感知信号）を出力する。
【００７１】
第１番目に配置された第１タッチセンサーＴＬ１と第２番目に配置された第２タッチセンサーＲＬ２とが交差する領域を、入力た行われた第１入力地点ＰＰ１であると仮定する。前記第２番目に配置された第２タッチセンサーＲＬ２から出力された第１感知信号ＳＳ１−２は、他の第２タッチセンサーＲＬ１、ＲＬ３、ＲＬ４、ＲＬ５から出力された第１感知信号ＳＳ１−１、ＳＳ１−３、ＳＳ１−４、ＳＳ１−５と異なるレベルを有する。
【００７２】
前記入力感知部５００は、前記レベルが異なる第１感知信号ＳＳ１−２が検出された時間及び前記第２タッチセンサーＲＬ２の前記第２タッチセンサーＲＬ１〜ＲＬ５に対する相対的位置に基づいて、前記第１入力地点ＰＰ１の２次元座標情報を算出する。
【００７３】
図１１及び図１２に図示された第２動作モードのタッチパネルは、電磁気誘導方式のタッチパネルと同じ方式で前記入力地点の座標情報を算出する。前記第１タッチセンサーＴＬ１〜ＴＬ５は、前記電磁気誘導方式のタッチパネルの入力コイルに対応し、前記第２タッチセンサーＲＬ１〜ＲＬ５は出力コイルに対応する。
【００７４】
図１１に示したように、前記第１タッチセンサーＴＬ１〜ＴＬ５は互いに異なる区間で活性化されるスキャン信号ＴＳ２−１〜ＴＳ２−５（以下、第２スキャン信号）を受信する。前記第１タッチセンサーＴＬ１〜ＴＬ５の前記第１センサー部ＴＬＳ１〜ＴＬＳ５の各々は電流ループを形成する。
【００７５】
前記第１タッチセンサーＴＬ１〜ＴＬ５の一端へ前記第２スキャン信号ＴＳ２−１〜ＴＳ２−５が印加される時、前記第１タッチセンサーＴＬ１〜ＴＬ５の他端へ、例えばグラウンド電圧のような直流電圧が印加される。前記電流ループによって前記第１センサー部ＴＬＳ１〜ＴＬＳ５の内側で磁気場が誘導される。前記第１タッチセンサーＴＬ１〜ＴＬ５は互いに異なる区間で前記第２スキャン信号ＴＳ２−１〜ＴＳ２−５を受信するので、互いに異なる区間で磁気場が誘導される。
【００７６】
前記入力手段（図示せず）が前記第１タッチセンサーＴＬ１〜ＴＬ５に隣接すれば、前記第１タッチセンサーＴＬ１〜ＴＬ５から誘導された磁気場が前記入力手段の前記共振回路と共振する。それによって、前記入力手段は共振周波数を発生させる。
【００７７】
前記第２タッチセンサーＲＬ１〜ＲＬ５は前記入力手段の前記共振周波数を受信する。前記第２タッチセンサーＲＬ１〜ＲＬ５の一端へ、例えばグラウンド電圧のような直流電圧が印加される。前記第２タッチセンサーＲＬ１〜ＲＬ５の他端へ前記共振周波数によって生成された感知信号ＳＳ２−１〜ＳＳ２−５（以下、第２感知信号）を出力する。
【００７８】
第２番目に配置された第１タッチセンサーＴＬ２と第２番目に配置された第２タッチセンサーＲＬ２とが交差する領域を、入力た行われた第２入力地点ＰＰ２であると仮定する。前記第２番目に配置された第２タッチセンサーＲＬ２から出力された第２感知信号ＳＳ２−２は、他の第２タッチセンサーＲＬ１、ＲＬ３、ＲＬ４、ＲＬ５から出力された第２感知信号ＳＳ２−１、ＳＳ２−３、ＳＳ２−４、ＳＳ２−５と異なるレベルを有する。
【００７９】
前記入力感知部５００は前記レベルが異なる第２感知信号ＳＳ２−２が検出された時間及び前記第２番目に配置された第２タッチセンサーＲＬ２の前記第２タッチセンサーＲＬ１〜ＲＬ５に対する相対的位置に基づいて、前記第２入力地点ＰＰ２の２次元座標情報を算出する。
【００８０】
図１２に示したように、前記第２スキャン信号ＴＳ２−１〜ＴＳ２−３が前記第１タッチセンサーＴＬ１〜ＴＬ３へ印加される。前記第２入力地点ＰＰ２上に配置された前記入力手段で誘導信号ＲＳが発生される。
【００８１】
前記第２番目に配置された第１タッチセンサーＴＬ２へ印加された前記第２スキャン信号ＴＳ２−２が非活性化された以後、一定の区間の間に前記誘導信号ＲＳは徐々に減少する。前記入力手段は、前記減少する誘導信号ＲＳに対応する周波数を発生させる。前記入力手段で発生された周波数は、前記第２番目に配置された第２タッチセンサーＲＬ２の前記第２感知信号ＳＳ２−２を発生させる。
【００８２】
図１３は図２に図示されたタッチセンサー駆動部のブロック図である。図１４は図１３に図示されたスイッチングの回路図である。以下、図１３及び図１４を参照して前記タッチセンサー駆動部に対して詳細に説明する。
【００８３】
前記タッチセンサー駆動部４００はスキャン信号出力部４１０、選択部４２０、スイッチ４３０−１〜４３０−５を含む。図１３は５つの前記スイッチ４３０−１〜４３０−５（以下、第１スイッチ）が例示的に図示された。
【００８４】
前記スキャン信号出力部４１０は、前記モード選択信号ＭＳＳ、前記第１スキャン信号ＴＳ１、及び前記第２スキャン信号ＴＳ２を受信する。前記スキャン信号出力部４１０は、前記モード選択信号ＭＳＳに応答して前記第１スキャン信号ＴＳ１及び前記第２スキャン信号ＴＳ２を選択的に出力する。
【００８５】
前記選択部４２０は前記第１スイッチ４３０−１〜４３０−５をスイッチングする。前記選択部４２０は前記モード選択信号ＭＳＳを受信し、ターンオン区間が互いに異なるスイッチング制御信号ＳＷ−１〜ＳＷ−５、ＳＷ−１０〜ＳＷ−５０を出力する。前記選択部４２０は前記第１動作モードで第１スイッチング制御信号ＳＷ−１〜ＳＷ−５を出力し、前記第２動作モードで第２スイッチング制御信号ＳＷ−１０〜ＳＷ−５０を出力する。前記第１スイッチング制御信号ＳＷ−１〜ＳＷ−５と前記第２スイッチング制御信号ＳＷ−１０〜ＳＷ−５０とは位相が反転された信号であり得る。
【００８６】
前記第１スイッチ４３０−１〜４３０−５の各々は前記第１動作モードで前記スキャン信号出力部４１０から前記第１スキャン信号ＴＳ１を受信し、前記第２動作モードで前記第２スキャン信号ＴＳ２を受信する。前記第１スイッチ４３０−１〜４３０−５は前記第１動作モードで前記第１スイッチング制御信号ＳＷ−１〜ＳＷ−５を各々受信し、前記第２動作モードで前記第２スイッチング制御信号ＳＷ−１０〜ＳＷ−５０を各々受信する。
【００８７】
前記第１スイッチ４３０−１〜４３０−５は対応する第１スイッチング制御信号ＳＷ−１〜ＳＷ５に応答して前記第１動作モードで対応する第１タッチセンサーＴＬ１〜ＴＬ５へ前記第１スキャン信号ＴＳ１を出力する。前記第１スイッチ４３０−１〜４３０−５は対応する第２スイッチング制御信号ＳＷ−１０〜ＳＷ−５０に応答して前記第２動作モードで対応する第１タッチセンサーＴＬ１〜ＴＬ５へ前記第２スキャン信号ＴＳ２を出力する。
【００８８】
前記第１スイッチ４３０−１〜４３０−５の前記第１スキャン信号ＴＳ１−１〜ＴＳ１−５（図１０参照）及び前記第２スキャン信号ＴＳ２−１〜ＴＳ２−５（図１１参照）が出力される区間は互いに異なる。前記第１スキャン信号ＴＳ１−１〜ＴＳ１−５及び前記第２スキャン信号ＴＳ２−１〜ＴＳ２−５は対応する動作モード区間で前記第１スイッチ４３０−１〜４３０−５から順次的に出力され得る。
【００８９】
図１４に示したように、前記第１スイッチ４３０−１〜４３０−５の各々はＣＭＯＳトランジスターであり得る。以下、第１番目に配置された第１スイッチ４３０−１を例示的に説明する。
【００９０】
前記ＣＭＯＳトランジスターは、ｎタイプのトランジスターとｐタイプのトランジスターとを具備する。前記ｎタイプのトランジスターと前記ｐタイプのトランジスターとの制御電極は共通的に連結されて前記第１スイッチング制御信号ＳＷ−１又は前記第２スイッチング制御信号ＳＷ−１０を受信する。本実施形態で前記第１スイッチング制御信号ＳＷ−１はターンオン区間でハイレベルを有し、前記第２スイッチング制御信号ＳＷ−１０はターンオン区間でローレベルを有する。
【００９１】
前記ｎタイプのトランジスターの入力電極は前記第１スキャン信号ＴＳ１を受信する。前記ｐタイプのトランジスターの入力電極は前記第２スキャン信号ＴＳ２を受信する。前記ｎタイプのトランジスターの出力電極と前記ｐタイプのトランジスターの出力電極とは共通的に前記第１番目の第１タッチセンサーＴＬＳ１に連結される。
【００９２】
図１５は図２に図示された入力感知部のブロック図である。図１６は図２に図示された第１スイッチ部のブロック図である。図１７は図２に図示された第２スイッチングのブロック図である。
【００９３】
図１５に示したように、前記入力感知部５００はスイッチ５１０−１〜５１０−５、信号処理部５２０−１〜５２０−５、及び座標算出部５３０を含む。前記スイッチ５１０−１〜５１０−５（以下、第２スイッチ）は前記第２タッチセンサーＲＬ１〜ＲＬ５に各々連結される。前記信号処理部５２０−１〜５２０−５の各々は第１信号処理部５２２と第２信号処理部５２４とを含む。
【００９４】
前記第２スイッチ５１０−１〜５１０−５は前記モード選択信号ＭＳＳを受信する。前記第２スイッチ５１０−１〜５１０−５は前記モード選択信号ＭＳＳに応答して前記第１信号処理部５２２へ前記第１感知信号ＳＳ１−１〜ＳＳ１−５（図１０参照）を提供し、前記第２信号処理部５２４へ前記第２感知信号ＳＳ２−１〜ＳＳ２−５（図１１参照）を提供する。
【００９５】
前記第１信号処理部５２２の各々は増幅器、ノイズフィルター、及びアナログ−デジタルコンバーター等を含む。前記増幅器は対応する第１感知信号を増幅させる。前記ノイズフィルターは前記増幅された第１感知信号のノイズを除去する。前記アナログ−デジタルコンバーターは前記ノイズが除去された第１感知信号を第１デジタル信号に変換する。前記座標算出部５３０は前記第１デジタル信号から、入力が行われた前記第１入力地点ＰＰ１（図１０参照）の座標情報を算出する。
【００９６】
前記第２信号処理部５２４の各々は従属的に連結された増幅器、バンドパスフィルター、検波器、サンプルホールド回路、及びアナログ−デジタルコンバーター等を含む。前記第２感知信号は最終的に第２デジタル信号に変換される。前記座標算出部５３０は前記第２デジタル信号から、入力が行われた前記第２入力地点ＰＰ２（図１１参照）の座標情報を算出する。
【００９７】
図１６に示したように、前記第１スイッチ部６００はスイッチ６００−１〜６００−５（以下、第３スイッチ）を含む。前記第３スイッチ６００−１〜６００−５は前記モード選択信号ＭＳＳを受信する。前記第３スイッチ６００−１〜６００−５は前記第１動作モードでオープンされ、前記第２動作モードでクローズされる。前記第３スイッチ６００−１〜６００−５は、前記第２動作モードで前記第１タッチセンサーＴＬ１〜ＴＬ５の一端にグラウンド電圧を提供する。
【００９８】
図１７に示したように、前記第２スイッチ部７００はスイッチ７００−１〜７００−５（以下、第４スイッチ）を含む。前記第４スイッチ７００−１〜７００−５は前記モード選択信号ＭＳＳを受信する。前記第４スイッチ７００−１〜７００−５は前記第１動作モードでオープンされ、前記第２動作モードでクローズされる。前記第４スイッチ７００−１〜７００−５は前記第２動作モードで前記第２タッチセンサーＲＬ１〜ＲＬ５の一端にグラウンド電圧を提供する。
【００９９】
図１８Ａ乃至図１８Ｆは本発明の一実施形態による表示パネルの断面図である。以下、図１８Ａ乃至図１８Ｆを参照して一実施形態による表示装置に対して説明する。但し、図３及び図４を参照して説明した構成と同一である構成に対する詳細な説明は省略する。図１８Ａ乃至図１８Ｆは図４に対応する断面を図示したが、液晶層ＬＣＬと第１表示基板ＤＳ１とは図示されなかった。
【０１００】
図１８Ａ乃至図１８Ｆに示したように、前記第１タッチセンサーＴＬと前記第２タッチセンサーＲＬとの配置関係は変更されることができる。例えば、前記第１タッチセンサーＴＬと前記第２タッチセンサーＲＬとは互いに異なる層上に配置され得、前記第１タッチセンサーＴＬと前記第２タッチセンサーＲＬとは前記第２ベース基板ＳＵＢ２の下側に配置されることもあり得る。
【０１０１】
図１８Ａに示したように、遮光層ＢＭと複数個のカラーフィルターＣＦは第２ベース基板ＳＵＢ２の下面に配置される。前記第２ベース基板ＳＵＢ２の上面に前記第１タッチセンサーＴＬが配置される。前記第２ベース基板ＳＵＢ２の上面に前記第１タッチセンサーＴＬをカバーする第３絶縁層ＡＬ１０が配置される。前記第３絶縁層ＡＬ１０上に前記第２タッチセンサーＲＬが配置される。前記第３絶縁層ＡＬ１０上に前記第２タッチセンサーＲＬをカバーする第４絶縁層ＡＬ２０が配置され、前記第４絶縁層ＡＬ２０上に前記保護層ＰＳが配置される。
【０１０２】
前記第１タッチセンサーＴＬと前記第２タッチセンサーＲＬとが互いに異なる層上に配置されることによってブリッジ電極ＣＮＥ１、ＣＮＥ２（図８参照）を省略することができる。それによって、前記表示パネルの製造工程が単純になり、前記第１タッチセンサーＴＬ又は前記第２タッチセンサーＲＬの接続不良が減少される。
【０１０３】
図１８Ｂに示したように、前記第１タッチセンサーＴＬと前記第２タッチセンサーＲＬとは第２ベース基板ＳＵＢ２の下面に配置される。前記第２ベース基板ＳＵＢ２の下面に前記第１タッチセンサーＴＬと前記第２タッチセンサーＲＬとをカバーする絶縁層ＡＬが配置される。前記絶縁層ＡＬ上に遮光層ＢＭと複数個のカラーフィルターＣＦとが配置される。
【０１０４】
前記第１タッチセンサーＴＬと前記第２タッチセンサーＲＬとは同じ層上に配置される。前記第１タッチセンサーＴＬと前記第２タッチセンサーＲＬとの中でいずれか１つはブリッジ電極ＣＮＥ１、ＣＮＥ２（図８参照）を包含することができる。前記ブリッジ電極ＣＮＥ１、ＣＮＥ２は前記絶縁層ＡＬを貫通する貫通ホールを通じて前記第１タッチセンサーＴＬと前記第２タッチセンサーＲＬとの中で切断され離隔されたタッチセンサーを連結する。前記第１タッチセンサーＴＬと前記第２タッチセンサーＲＬとの製造方法は図９を参照して説明した製造方法と積層位置及び順序の一部を除外すれば、同一である。
【０１０５】
図１８Ｃに示したように、前記第１タッチセンサーＴＬと前記第２タッチセンサーＲＬとは第２ベース基板ＳＵＢ２の下面に配置される。前記第２ベース基板ＳＵＢ２の下面に前記第１タッチセンサーＴＬと前記第２タッチセンサーＲＬとをカバーする遮光層ＢＭが配置される。前記第２ベース基板ＳＵＢ２の下面に複数個のカラーフィルターＣＦが配置される。前記遮光層ＢＭと複数個のカラーフィルターＣＦとの上に平坦化のための絶縁層ＡＬが配置される。
【０１０６】
前記第１タッチセンサーＴＬと前記第２タッチセンサーＲＬとは同じ層上に配置される。前記第１タッチセンサーＴＬと前記第２タッチセンサーＲＬとの中でいずれか１つはブリッジ電極ＣＮＥ１、ＣＮＥ２（図８参照）を包含することができる。
【０１０７】
前記ブリッジ電極ＣＮＥ１、ＣＮＥ２は前記遮光層ＢＭを貫通する貫通ホールを通じて前記第１タッチセンサーＴＬと前記第２タッチセンサーＲＬとの中で切断され離隔されたタッチセンサーを連結する。前記第１タッチセンサーＴＬと前記第２タッチセンサーＲＬとの製造方法は図９を参照して説明した製造方法と積層位置及び順序の一部を除外すれば、同一である。
【０１０８】
図１８Ｄに示したように、前記第１タッチセンサーＴＬと前記第２タッチセンサーＲＬとは第２ベース基板ＳＵＢ２の下面上に配置される。前記第２ベース基板ＳＵＢ２の下面に遮光層ＢＭと複数個のカラーフィルターＣＦが配置される。
【０１０９】
前記遮光層ＢＭの下面に前記第１タッチセンサーＴＬと前記第２タッチセンサーＲＬとが配置される。前記遮光層ＢＭと複数個のカラーフィルターＣＦ上に前記第１タッチセンサーＴＬと前記第２タッチセンサーＲＬとをカバーする絶縁層ＡＬが配置される。
【０１１０】
前記第１タッチセンサーＴＬと前記第２タッチセンサーＲＬとは同じ層上に配置される。前記第１タッチセンサーＴＬと前記第２タッチセンサーＲＬとの中でいずれか１つはブリッジ電極ＣＮＥ１、ＣＮＥ２（図８参照）を包含することができる。
【０１１１】
図１８Ｅに示したように、前記第１タッチセンサーＴＬと前記第２タッチセンサーＲＬとは第２ベース基板ＳＵＢ２の下面上に配置される。前記第２ベース基板ＳＵＢ２の下面に前記第１タッチセンサーＴＬが配置される。
【０１１２】
前記第２ベース基板ＳＵＢ２の下面上に前記第１タッチセンサーＴＬをカバーする第３絶縁層ＡＬ１０が配置される。前記第３絶縁層ＡＬ１０上に前記遮光層ＢＭと複数個のカラーフィルターＣＦとが配置される。前記遮光層ＢＭの下面に前記第２タッチセンサーＲＬが配置される。前記遮光層ＢＭと複数個のカラーフィルターＣＦとの上に前記第２タッチセンサーＲＬをカバーする第４絶縁層ＡＬ２０が配置される。
【０１１３】
図１８Ｆに示したように、前記第１タッチセンサーＴＬは第２ベース基板ＳＵＢ２の上面上に配置され、前記第２タッチセンサーＲＬは第２ベース基板ＳＵＢ２の下面上に配置される。前記第２ベース基板ＳＵＢ２の上面上に前記第１タッチセンサーＴＬをカバーする第３絶縁層ＡＬ１０が配置される。前記第２ベース基板ＳＵＢ２の下面上に前記第２タッチセンサーＲＬをカバーする第４絶縁層ＡＬ２０が配置される。前記第４絶縁層ＡＬ２０上に前記遮光層ＢＭと複数個のカラーフィルターＣＦとが配置される。
【０１１４】
図１９Ａ乃至図１９Ｃは本発明の一実施形態による第１タッチセンサーと第２タッチセンサーとを具体的に示した平面図である。以下、図１９Ａ乃至図１９Ｃを参照して一実施形態に対応する第１及び第２タッチセンサーに対して説明する。但し、図５乃至図９を参照して説明した構成と同一である構成に対する詳細な説明は省略する。
【０１１５】
図１９Ａに示したように、前記第１タッチセンサーＴＬ１〜ＴＬ５の各々は、第１方向ＤＲ１に配列された第１センサー部ＴＬＳ１〜ＴＬＳ５及び前記第１センサー部ＴＬＳ１〜ＴＬＳ５を連結する第１連結部ＴＬＣ１〜ＴＬＣ４を含む。
【０１１６】
前記第２タッチセンサーＲＬ１〜ＲＬ５の各々は第２方向ＤＲ２に配列された第２センサー部ＲＬＳ１〜ＲＬＳ５及び前記第２センサー部ＲＬＳ１〜ＲＬＳ５を連結する第２連結部ＲＬＣ１〜ＲＬＣ４を含む。図１９Ａに図示された前記第２タッチセンサーＲＬ１〜ＲＬ５は、図５に図示された前記第２タッチセンサーＲＬ１〜ＲＬ５が１８０°回転された形状を有する。前記第２センサー部ＲＬＳ１〜ＲＬＳ５の各々は一部分が開かれたループ形状であり、第１部分ＲＬＰ１、第２部分ＲＬＰ２、及び第３部分ＲＬＰ３を含む。
【０１１７】
前記第１タッチセンサーＴＬ１〜ＴＬ５の前記第１連結部ＴＬＣ１〜ＴＬＣ４と前記第２タッチセンサーＲＬ１〜ＲＬ５の前記第３部分ＲＬＰ３とが交差する。前記第１連結部ＴＬＣ１〜ＴＬＣ４と前記第２タッチセンサーＲＬ１〜ＲＬ５の前記第３部分ＲＬＰ３との中でいずれか１つはブリッジ電極ＣＮＥ１、ＣＮＥ２（図８参照）を包含することができる。
【０１１８】
図１９Ｂに示したように、第１センサー部ＴＬＳ１〜ＴＬＳ５の第１部分ＴＬＰ１と第３部分ＴＬＰ３とは鋭角θ１を成し、第２部分ＴＬＰ２と第３部分ＴＬＰ３とは鋭角θ２をなす。前記第１センサー部ＴＬＳ１〜ＴＬＳ５は頂点部分が開かれた三角形状である。このような形状を有する前記第１センサー部ＴＬＳ１〜ＴＬＳ５ではさらに容易に磁気場が誘導される。
【０１１９】
前記第２センサー部ＲＬＳ１〜ＲＬＳ５の第１部分ＲＬＰ１と第３部分ＲＬＰ３とは鈍角θ３を成し、第２部分ＲＬＰ２と第３部分ＲＬＰ３とは鋭角θ４をなす。前記第２センサー部ＲＬＳ１〜ＲＬＳ５の前記第３部分ＲＬＰ３は、前記第１センサー部ＴＬＳ１〜ＴＬＳ５の前記第１部分ＴＬＰ１に近接するように対向し、例えば平行に近接するように対向する。また、前記第２センサー部ＲＬＳ１〜ＲＬＳ５の前記第２部分ＲＬＰ２は前記第１センサー部ＴＬＳ１〜ＴＬＳ５の前記第３部分ＴＬＰ３に近接するように対向し、例えば平行に近接するように対向する。
【０１２０】
前記第１タッチセンサーＴＬ１〜ＴＬ５の前記第２部分ＴＬＰ２と前記第２タッチセンサーＲＬ１〜ＲＬ５の前記第２部分ＲＬＰ２とが交差する。前記第１タッチセンサーＴＬ１〜ＴＬ５の前記第２部分ＴＬＰ２と前記第２タッチセンサーＲＬ１〜ＲＬ５の前記第２部分ＲＬＰ２との中でいずれか１つはブリッジ電極ＣＮＥ１、ＣＮＥ２（図８参照）を包含することができる。
【０１２１】
図１９Ｃに示したように、第１センサー部ＴＬＳ１〜ＴＬＳ５の各々は、第２部分ＴＬＰ２に連結され、前記第３部分ＴＬＰ３に対向する第４部分ＴＬＰ４をさらに含む。前記第４部分ＴＬＰ４は前記第１部分ＴＬＰ１に連結されない。前記第２センサー部ＲＬＳ１〜ＲＬＳ５の各々は、第１センサー部ＴＬＳ１〜ＴＬＳ５の前記第４部分ＴＬＰ４に対応する第４部分ＲＬＰ４をさらに含む。つまり、第２センサー部ＲＬＳ１〜ＲＬＳ５の各々は、第２部分ＲＬＰ２に連結され、前記第３部分ＲＬＰ３に対向する第４部分ＲＬＰ４をさらに含む。前記第１センサー部ＴＬＳ１〜ＴＬＳ５と前記第２センサー部ＲＬＳ１〜ＲＬＳ５との各々は一部分が開かれた四角形状である。第１センサー部ＴＬＳ１〜ＴＬＳ５は、互いに連結されない第４部分ＴＬＰ４と第１部分ＴＬＰ１との間の一部分が開かれている、第２センサー部ＲＬＳ１〜ＲＬＳ５は、互いに連結されない第４部分ＲＬＰ４と第１部分ＲＬＰ１との間の一部分が開かれた四角形状である。
【０１２２】
第１動作モードで、前記第１センサー部ＴＬＳ１〜ＴＬＳ５の前記第２部分ＴＬＰ２と、前記第２センサー部ＲＬＳ１〜ＲＬＳ５の前記第４部分ＲＬＰ４とが近接するように対向し、キャパシターを形成する。また、前記第１センサー部ＴＬＳ１〜ＴＬＳ５の前記第４部分ＴＬＰ４と、前記第２センサー部ＲＬＳ１〜ＲＬＳ５の前記第１部分ＲＬＰ１とが近接するように対向し、キャパシターを形成する。前記増加されたキャパシターはキャパシタンス変化量を増加させて前記第１動作モードのタッチ感度を向上させる。
【０１２３】
閉ループと類似な形状を有する前記第１センサー部ＴＬＳ１〜ＴＬＳ５は第２動作モードでさらに容易に磁気場が誘導される。閉ループと類似な形状を有する前記第２センサー部ＲＬＳ１〜ＲＬＳ５の周波数受信感度は向上される。
【０１２４】
図２０は本発明の一実施形態による第１タッチセンサーと第２タッチセンサーとを具体的に示した平面図である。図２１は図２０のＤＤ領域を拡大して示した平面図である。図２２は図２１のＩＩＩ−ＩＩＩ’線に沿う断面図である。図２０は図５に図示された前記第１タッチセンサーＴＬ１〜ＴＬ５と前記第２タッチセンサーＲＬ１〜ＲＬ５とが例示的に図示されたが、図１９Ａ乃至図１９Ｃに図示された前記第１タッチセンサーＴＬ１〜ＴＬ５と前記第２タッチセンサーＲＬ１〜ＲＬ５とに変形され得る。
【０１２５】
本実施形態による表示装置は前記第１タッチセンサーＴＬ１〜ＴＬ５の前記第１センサー部ＴＬＳ１〜ＴＬＳ５と前記第２タッチセンサーＲＬ１〜ＲＬ５の前記第２センサー部ＲＬＳ１〜ＲＬＳ５とに囲まれたフローティング電極ＦＥをさらに含む。図２０は１つのフローティング電極ＦＥを例示的に図示した。
【０１２６】
前記フローティング電極ＦＥは、前記第１動作モードで、前記第１タッチセンサーＴＬ１〜ＴＬ５及び前記第２タッチセンサーＲＬ１〜ＲＬ５とキャパシターを形成する。前記増加されたキャパシターはキャパシタンス変化量を増加させて前記第１動作モードのタッチ感度を向上させる。前記フローティング電極ＦＥは前記第２動作モードで前記第１タッチセンサーＴＬ１〜ＴＬ５に形成された磁気場には影響を及ばさない。
【０１２７】
図２１に示したように、前記フローティング電極ＦＥは、第１方向ＤＲ１に延長された複数個の横部分ＦＥ−Ｌと、第２方向ＤＲ２に延長された複数個の縦部分ＦＥ−Ｃとを含む。前記複数個の横部分ＦＥ−Ｌと前記複数個の縦部分ＦＥ−Ｃは互いに連結されて複数個の開口部ＦＥ−ＯＰを形成する。前記複数個の開口部ＦＥ−ＯＰは前記複数個の開口領域ＤＡの中で前記フローティング電極ＦＥに対応する一部の開口領域ＤＡと各々重畳する。前記フローティング電極ＦＥの各々は前記複数個の開口部ＦＥ−ＯＰを具備するメッシュ形状を有する。
【０１２８】
図２２に示したように、前記複数個の横部分ＦＥ−Ｌと前記複数個の縦部分ＦＥ−Ｃとは前記第２ベース基板ＳＵＢ２の上面に配置される。前記フローティング電極ＦＥは、前記第１タッチセンサーＴＬ１〜ＴＬ５又は前記第２タッチセンサーＲＬ１〜ＲＬ５と同じ物質で構成され、前記第１タッチセンサーＴＬ１〜ＴＬ５又は前記第２タッチセンサーＲＬ１〜ＲＬ５と同一な工程で形成され得る。
【０１２９】
別に図示していないが、前記フローティング電極ＦＥは図１８Ａ乃至図１８Ｆに図示された前記第１タッチセンサーＴＬ１〜ＴＬ５又は前記第２タッチセンサーＲＬ１〜ＲＬ５の中でいずれか１つと同じ層上に配置され得る。
【０１３０】
図２３は本発明の一実施形態による表示装置の図２１のＩＩＩ−ＩＩＩ’線に沿う断面図である。図２０乃至図２２を参照して説明した構成と同一である構成に対する詳細な説明は省略する。
【０１３１】
前記フローティング電極ＦＥは２層構造を有することができる。図２３に示したように、前記フローティング電極ＦＥは透明な導電性物質で構成された第１層ＦＥ−Ｂ及び前記第１層ＦＥ−Ｂ上に配置された第２層ＦＥ−Ｌ１０、ＦＥ−Ｃ２０を含む。
【０１３２】
前記第１層ＦＥ−Ｂはインジウム−錫−酸化物のような透明な金属酸化物を包含することができる。前記第２層ＦＥ−Ｌ１０、ＦＥ−Ｃ２０は前記第１タッチセンサーＴＬ１〜ＴＬ５又は前記第２タッチセンサーＲＬ１〜ＲＬ５と同じ物質で構成されることができる。前記第２層ＦＥ−Ｌ１０、ＦＥ−Ｃ２０は横部分ＦＥ−Ｌ１０と縦部分ＦＥ−Ｃ１０とを含む。前記横部分ＦＥ−Ｌ１０と前記縦部分ＦＥ−Ｃ１０とは図２１及び図２２に図示された横部分ＦＥ−Ｌと縦部分ＦＥ−Ｃとに対応する。
【０１３３】
別に図示していないが、前記第２層ＦＥ−Ｌ１０、ＦＥ−Ｃ２０は図１８Ａ乃至図１８Ｆに図示された前記第１タッチセンサーＴＬ１〜ＴＬ５又は前記第２タッチセンサーＲＬ１〜ＲＬ５の中でいずれか１つと同じ層上に配置され得る。この時、前記第１層ＦＥ−Ｂは前記第２層ＦＥ−Ｌ１０、ＦＥ−Ｃ２０に連続して配置される。
【０１３４】
図２４は本発明の一実施形態による第１タッチセンサーと第２タッチセンサーとを具体的に示した平面図である。以下、図２４を参照して本実施形態によるタッチパネルに対して説明する。但し、図１乃至図２３を参照して説明した構成と同一である構成に対する詳細な説明は省略する。
【０１３５】
前記複数個の第１タッチセンサーＴＬ１０〜ＴＬ８０は前記第１方向ＤＲ１に延長され、前記第２方向ＤＲ２に配列される。前記複数個の第２タッチセンサーＲＬ１０〜Ｒ８０は前記第２方向ＤＲ２に延長され、前記第１方向ＤＲ１に配列される。図２３には８つの第１タッチセンサーＴＬ１０〜ＴＬ８０と第２タッチセンサーＲＬ１０〜Ｒ８０とが例示的に図示された。
【０１３６】
前記複数個の第１タッチセンサーＴＬ１０〜ＴＬ８０と前記複数個の第２タッチセンサーＲＬ１０〜Ｒ８０とは各々棒形状である。本実施形態によるタッチパネルは図１０及び図１１を参照して説明したことのように第１動作モードと第２動作モードとに駆動される。
【０１３７】
前記第１動作モードのタッチパネルは靜電容量方式のタッチパネルと同じ方式で、前記入力地点の座標情報を算出する。前記第１タッチセンサーＴＬ１０〜ＴＬ８０は前記靜電容量方式のタッチパネルの入力タッチ電極に対応し、前記第１タッチセンサーＴＬ１０〜ＴＬ８０と靜電結合される前記第２タッチセンサーＲＬ１０〜ＲＬ８０は前記靜電容量方式のタッチパネルの出力タッチ電極に対応する。
【０１３８】
前記第２動作モードのタッチパネルは、電磁気誘導方式のタッチパネルと同じ方式で前記入力地点の座標情報を算出する。前記第１タッチセンサーＴＬ１０〜ＴＬ８０は前記電磁気誘導方式のタッチパネルの入力コイルに対応し、前記第２タッチセンサーＲＬ１０〜ＲＬ８０は出力コイルに対応する。
【０１３９】
前記第２動作モードで前記第１タッチセンサーＴＬ１０〜ＴＬ８０の一端は互いに異なる区間で活性化されるスキャン信号を受信し、他端はグラウンド電圧のような直流電圧を受信する。前記第１タッチセンサーＴＬ１０〜ＴＬ８０が棒形状を有しても、前記第１タッチセンサーＴＬ１０〜ＴＬ８０の各々は対応するスキャン信号と直流電圧によって電流ループＣＲを形成する。前記電流ループＣＲによって前記第１タッチセンサーＴＬ１０〜ＴＬ８０に隣接するように磁気場が誘導される。
【０１４０】
前記入力手段（図示せず）が前記第１タッチセンサーＴＬ１０〜ＴＬ８０に隣接すれば、前記第１タッチセンサーＴＬ１０〜ＴＬ８０から誘導された磁気場が前記入力手段の前記共振回路と共振する。それによって、前記入力手段は共振周波数を発生させる。
【０１４１】
前記第２タッチセンサーＲＬ１０〜ＲＬ８０は前記入力手段の前記共振周波数を受信する。前記第２タッチセンサーＲＬ１０〜ＲＬ８０の一端は、例えばグラウンド電圧のような直流電圧が印加される。前記第２タッチセンサーＲＬ１０〜ＲＬ８０の他端へ前記共振周波数によって生成された感知信号が出力される。
【０１４２】
前記複数個の第１タッチセンサーＴＬ１０〜ＴＬ８０と前記複数個の第２タッチセンサーＲＬ１０〜Ｒ８０とは図１８Ａ及び図１８Ｅを参照して説明した例のように互いに異なる層上に配置される。前記複数個の第１タッチセンサーＴＬ１０〜ＴＬ８０と前記複数個の第２タッチセンサーＲＬ１０〜Ｒ８０とは第２ベース基板ＳＵＢ２を介して配置されることもあり得る。
【０１４３】
図２５、図２６に示すように、前記複数個の第１タッチセンサーＴＬ１０〜ＴＬ８０と前記複数個の第２タッチセンサーＲＬ１０〜Ｒ８０とはメッシュ形状を有することができる。特に図示しなかったが、ＥＥ領域とＦＦ領域を拡大すれば、図２１に図示された例と同一である。前記複数個の第１タッチセンサーＴＬ１０〜ＴＬ８０と前記複数個の第２タッチセンサーＲＬ１０〜Ｒ８０とは前記複数個の開口領域ＤＡの中で対応する開口領域に重畳する開口部を含む。複数個の第１タッチセンサーＴＬ１０〜ＴＬ８０は、開口領域ＤＡの中で対応する開口領域に重畳する開口部ＴＬ１０−ＯＰを含む。複数個の第２タッチセンサーＲＬ１０〜Ｒ８０は、複数個の開口領域ＤＡの中で対応する開口領域に重畳する開口部ＲＬ７０−ＯＰを含む。前記メッシュ形状の前記複数個の第１タッチセンサーＴＬ１０〜ＴＬ８０と前記複数個の第２タッチセンサーＲＬ１０〜Ｒ８０とは金属を包含することもあり得る。また、前記複数個の第１タッチセンサーＴＬ１０〜ＴＬ８０と前記複数個の第２タッチセンサーＲＬ１０〜Ｒ８０とは透明な導電性物質で構成されることができる。
【０１４４】
上述した構成によれば、前記第１及び第２タッチセンサーは前記表示装置の動作モードにしたがって靜電容量方式又は電磁気誘導方式で動作する。前記第１及び第２タッチセンサーが２つのモードで駆動されることによって、互いに異なる方式で外部入力を感知することができる。
【０１４５】
前記第１及び第２タッチセンサーが同じ層上に配置されることによって前記表示装置はスリムな構造を有する。前記遮光層に重畳されることによって前記第１タッチセンサーと前記第２タッチセンサーとは外部から視認されない。
【０１４６】
前記表示装置にフローティング電極がさらに具備されることによって前記靜電容量方式で動作する前記第１及び第２タッチセンサーのタッチ感度が向上される。
【０１４７】
以上では本発明の望ましい実施形態を参照して説明したが、該当技術分野の熟練された当業者又は該当技術分野に通常の知識を有する者であれば、後述される特許請求の範囲に記載された本発明のマッピング及び技術領域から逸脱しない範囲内で本発明を多様に修正及び変形できることは理解できる。
【０１４８】
したがって、本発明の技術的範囲は明細書の詳細な説明に記載された内容に限定されることではなく、特許請求の範囲によって定まれなければならない。
【符号の説明】
【０１４９】
１００・・・信号制御部
２００・・・ゲート駆動部
３００・・・データ駆動部
４００・・・タッチセンサー駆動部
５００・・・入力感知部
６００・・・第１スイッチ部
７００・・・第２スイッチ部
ＬＤＰ・・・表示パネル  
【図１】
2014232530.tif 000003
【図２】
2014232530.tif 000004
【図３】
2014232530.tif 000005
【図４】
2014232530.tif 000006
【図５】
2014232530.tif 000007
【図６Ａ】
2014232530.tif 000008
【図６Ｂ】
2014232530.tif 000009
【図７】
2014232530.tif 000010
【図８】
2014232530.tif 000011
【図９】
2014232530.tif 000012
【図１０】
2014232530.tif 000013
【図１１】
2014232530.tif 000014
【図１２】
2014232530.tif 000015
【図１３】
2014232530.tif 000016
【図１４】
2014232530.tif 000017
【図１５】
2014232530.tif 000018
【図１６】
2014232530.tif 000019
【図１７】
2014232530.tif 000020
【図１８Ａ】
2014232530.tif 000021
【図１８Ｂ】
2014232530.tif 000022
【図１８Ｃ】
2014232530.tif 000023
【図１８Ｄ】
2014232530.tif 000024
【図１８Ｅ】
2014232530.tif 000025
【図１８Ｆ】
2014232530.tif 000026
【図１９Ａ】
2014232530.tif 000027
【図１９Ｂ】
2014232530.tif 000028
【図１９Ｃ】
2014232530.tif 000029
【図２０】
2014232530.tif 000030
【図２１】
2014232530.tif 000031
【図２２】
2014232530.tif 000032
【図２３】
2014232530.tif 000033
【図２４】
2014232530.tif 000034
【図２５】
2014232530.tif 000035
【図２６】
2014232530.tif 000036